(57)【特許請求の範囲】
【請求項１】
プッシュプッシュ機構を介して操作される開閉弁と、該開閉弁の上方にあって絞りレバーで操作される絞り弁とを有するガス弁をこんろ本体内に設け、前記プッシュプッシュ機構と絞りレバーをこんろ本体の前面パネル側から操作する、ガスこんろのガス弁操作装置において、前面パネルにおけるプッシュプッシュ機構と絞りレバーの前方位置に下部窓と上部窓を設け、前面パネルの上部内側に上端を枢支した揺動板に、前記下部窓から突出する押ボタンを設けると共に、該揺動板の後面に前進位置にあるプッシュプッシュ機構のヘッドを弾力的に当接し、前面パネルと揺動板の間に、前面パネルに案内されるシャッタ板を上下動自在に設け、揺動板に作用するプッシュプッシュ機構の弾力でシャッタ板を上部窓まで押上げる連動機構を、揺動板とシャッタ板の間に設けたことを特徴とする、ガスこんろのガス弁操作装置。
【請求項２】
プッシュプッシュ機構を介して操作される開閉弁と、該開閉弁の上方にあって絞りレバーで操作される絞り弁とを有するガス弁をこんろ本体内に設け、前記プッシュプッシュ機構と絞りレバーをこんろ本体の前面パネル側から操作する、ガスこんろのガス弁操作装置において、前面パネルにおけるプッシュプッシュ機構と絞りレバーの前方位置に下部窓と上部窓を設け、前面パネルの上部内側に上端を枢支した揺動板に、前記下部窓から突出する押ボタンを設けると共に、該揺動板の後面に前進位置にあるプッシュプッシュ機構のヘッドを弾力的に当接し、揺動板に下端を取付けたシャッタフィルムの上部を前面パネルの後面に沿って移動可能に案内し、揺動板に作用するプッシュプッシュ機構の弾力でシャッタフィルムを上部窓まで押上げることを特徴とする、ガスこんろのガス弁操作装置。
【請求項３】
請求項１又は２において、絞り弁の絞りレバーの先端を上部窓から前方に突出させ、且つ該絞りレバーにおけるシャッタ板又はシャッタフィルムの上方部分に、該シャッタ板又はシャッタフィルムが進入できる逃げ凹部を設けたことを特徴とする、ガスこんろのガス弁操作装置。
【請求項４】
請求項１，２又は３において、前面パネルの中間部に表示窓を設け、シャッタ板又はシャッタフィルムの下降位置で表示窓と一致する部位に、開閉弁が開であることを示す表示をしたことを特徴とする、ガスこんろのガス弁操作装置。
【請求項５】
請求項１において、シャッタ板の上下方向の長さを、前面パネルの上部窓と下部窓の各上縁間の距離と略同一とし、押ボタンの後退位置でシャッタ板を押ボタン上に落下させ、上部窓を開くと共に、押ボタン上面と下部窓の下縁との間の隙間を閉じることを特徴とする、ガスこんろのガス弁操作装置。
【発明の詳細な説明】
【０００１】
【発明の属する技術分野】
本発明は、ガスこんろのこんろ部又はグリル部のバーナに付設したガス弁にあって、押ボタンの初押しでガスの開閉弁を開き、ガス量の調節は、絞り弁の絞りレバーを操作して行なう形式のガス弁の操作装置に関する。
【０００２】
【従来の技術】
従来のガスこんろにあっては、操作状態を視認できるように押ボタンの上面に表示窓を設け、該押ボタンの内部に押し動作に応動して変位する表示部材を設け、該表示部材を表示窓から目視するようにしていた（例えば実公平７−２２０２３号公報）。
【０００３】
【発明が解決しようとする課題】
前記の従来装置にあっては、押ボタンが大きくないため表示窓を大きくとって見易くすることができない。また、こんろ本体の前面パネルに形成される上部窓や下部窓から煮汁、掃除の際に吹付けるスプレー剤その他の異物が入るおそれがある。特に前記スプレー剤がプッシュプッシュ機構の開閉装置に付着すると、該装置を動かさなくすることがある。
【０００４】
本発明は、大きい表示部材を用いて表示を見易くすると共に、該表示部材を利用して上部窓と下部窓をなるべく閉じ、前記異物が入るのを防止することを課題とする。
【０００５】
【課題を解決するための手段】
前記の課題は、各請求項に記載した各手段によって解決される。このうち請求項１の手段は、プッシュプッシュ機構を介して操作される開閉弁と、該開閉弁の上方にあって絞りレバーで操作される絞り弁とを有するガス弁をこんろ本体内に設け、前記プッシュプッシュ機構と絞りレバーをこんろ本体の前面パネル側から操作する、ガスこんろのガス弁操作装置において、前面パネルにおけるプッシュプッシュ機構と絞りレバーの前方位置に下部窓と上部窓を設け、前面パネルの上部内側に上端を枢支した揺動板に、前記下部窓から突出する押ボタンを設けると共に、該揺動板の後面に前進位置にあるプッシュプッシュ機構のヘッドを弾力的に当接し、前面パネルと揺動板の間に、前面パネルに案内されるシャッタ板を上下動自在に設け、揺動板に作用するプッシュプッシュ機構の弾力でシャッタ板を上部窓まで押上げる連動機構を、揺動板とシャッタ板の間に設けたことを特徴とする。
【０００６】
この手段によれば、プッシュプッシュ機構が前進位置にあって開閉弁が閉じた状態では、プッシュプッシュ機構の戻しばねの弾力で揺動板と押ボタンは前向きに加圧され、揺動板に連設した連動機構によって、シャッタ板が押上げられて上部窓を遮閉する。この遮閉により、開閉弁が閉じていることが表示され、上部窓から異物が侵入するのが防止され、且つ絞りレバーが操作不能になる。押しボタンを初押しすればプッシュプッシュ機構からの加圧はなくなり、連動機構は不作動になってシャッタ板が落下して上部窓が開き絞りレバーが操作可能になる。
【０００７】
また請求項２の手段は、プッシュプッシュ機構を介して操作される開閉弁と、該開閉弁の上方にあって絞りレバーで操作される絞り弁とを有するガス弁をこんろ本体内に設け、前記プッシュプッシュ機構と絞りレバーをこんろ本体の前面パネル側から操作する、ガスこんろのガス弁操作装置において、前面パネルにおけるプッシュプッシュ機構と絞りレバーの前方位置に下部窓と上部窓を設け、前面パネルの上部内側に上端を枢支した揺動板に、前記下部窓から突出する押ボタンを設けると共に、該揺動板の後面に前進位置にあるプッシュプッシュ機構のヘッドを弾力的に当接し、揺動板に下端を取付けたシャッタフィルムの上部を前面パネルの後面に沿って移動可能に案内し、揺動板に作用するプッシュプッシュ機構の弾力でシャッタフィルムを上部窓まで押上げることを特徴とする。この手段によれば、前面パネルの上部窓は、請求項１と同様に開閉弁が閉のときはシャッタフィルムによって閉ざされ、開閉弁が開のとき上部窓が開かれ、絞りレバーの操作が可能になる。
【０００８】
請求項３の手段は、請求項１又は２において、絞り弁の絞りレバーの先端を上部窓から前方に突出させ、且つ該絞りレバーにおけるシャッタ板又はシャッタフィルムの上方部分に、該シャッタ板又はシャッタフィルムが進入できる逃げ凹部を設けたことを特徴とする。この手段によれば、絞りレバーの先端が前面パネルから突出しているから操作がし易く、バーナ不使用時に上部窓がシャッタ板又はシャッタフィルムで閉じられるから、該シャッタ部材を見てバーナの不使用状態が認識できると共に異物の入るのが防止される。
【０００９】
請求項４の手段は、請求項１，２又は３において、前面パネルの中間部に表示窓を設け、シャッタ板又はシャッタフィルムの下降位置で表示窓と一致する部位に、開閉弁が開であることを示す表示をしたことを特徴とする。この手段によれば、開閉弁の状態を表示窓によって視認できる。
【００１０】
請求項５の手段は、請求項１において、シャッタ板の上下方向の長さを、前面パネルの上部窓と下部窓の各上縁間の距離と略同一とし、押ボタンの後退位置でシャッタ板を押ボタン上に落下させ、上部窓を開くと共に、押ボタン上面と下部窓の下縁との間の隙間を閉じることを特徴とする。この手段によれば、押しボタンを初押ししたのちは、押しボタンと下部窓上縁の間の隙間がシャッタ板で閉じられ、異物の侵入や再押し時に指が滑り込むのを防止する。
【００１１】
【発明の実施の形態】
以下、図面を参照して本発明の実施の形態を説明する。図１において、１は本発明を実施したガスこんろで、こんろ本体２に左右一対のこんろ部３，３と中央のグリル部４を備え、それらに設けたバーナ３ａ及び４ａには、図２，３のガス弁５からガスが供給され、ガス量の制御は、前面パネル６側に設けた部材によって行なわれる。
【００１２】
ガス弁５は、従来慣用されている構造のもので、下方に開閉弁７があり、その上部に絞り弁８が連設され、流入口７ａに入るガスを流出口８ａからバーナ３ａ又は４ａに流通させる。開閉弁７の前部には、プッシュプッシュ機構１０が設けられている。該機構１０は慣用のもので図４に示すようにガイド部材１１内に可動部１２が前後方向に移動可能に設けられ、可動部１２を最初に押したのち力を解除すると中間位置まで戻って、ガイド部材１１に設けたピン１１ａで係止され、再度押して力を解除すると元の位置に戻る形式のものである。
【００１３】
可動部１２は、前向きのヘッド１２ａと後向きの突部１２ｂ，１２ｃとハートカム１２ｄを有し、戻しばね１２ｅで前向きに弾発されている。開閉弁７は、前記流入口７ａと弁体７ｂ、弁杆７ｃ、出口７ｄを備える。そして、ヘッド１２ａを位置イからロまで押圧すると、突部１２ｂで弁杆７ｃを押して開弁し、図外の点火機構を作動させ、電磁安全弁を開く。押圧力を解除すると、戻しばね１２ｅの力でハまで戻り、ハートカム１２ｄの中間部がピン１１ａで係止され、突部１２ｂで弁７を開弁状態に保持する。次にヘッド１２ａを再度押すとピン１１ａの係止が外れて位置イに戻る。
【００１４】
絞り弁８は、傾斜したカム溝８ｂに案内されるピン８ｃを有する不図示の弁体を有し、該弁体の上下動によって流出口８ａから出るガス量を調節する。絞り弁８の側面には縦レバー１３が支軸１３ａで枢着され、上向きの溝１３ｂに前記ピン８ｃが係合され、上端部１３ｃが絞りレバー１４に係合し、下端の受面１３ｄがプッシュプッシュ機構１０の可動部１２の突部１２ｃに対向している。絞りレバー１４は、ピン１４ａで弁ケースに枢着され、且つ側方へ伸びるアーム１４ｂを有し、該アーム１４ｂに穿設した穴１４ｃに前記上端部１３ｃが挿入されている。１４ｄはつまみである。
【００１５】
したがって、絞りレバー１４を左右に揺動すると、アーム１４ｂの穴１４ｃは前後動し、縦レバー１３は支軸１３ａを中心として回動し、ピン８ｃをカム溝８ｂ内で滑らせて弁体を上下動する。縦レバー１３が矢印Ａ方向に回動すると弁体は矢印Ｂ方向に上昇して開度を増大する。また、プッシュプッシュ機構１０を初押しすることで開閉弁７が開くが、同時に突部１２ｃが縦レバー１３の下端の受面１３ｄを押し、絞りレバー１４と共に絞り弁８を開方向に移動させる。
【００１６】
前記ガス弁５の前面を覆う前面パネル６は、図２，３に示すように上部窓１５、下部窓１６、表示窓１７を有し、その裏面に設けたガイド６ｂによってシャッタ板１８が上下動自在に案内される。該シャッタ板１８は、前面下部に文字又は色別けによる表示部１９を有し、後面にカム従動部２０が突設されている。更にその後方には、揺動板２１が配置され、該揺動板２１は、上端に設けた略長方形の軸部２１ａが、前パネル６から突出するリブに設けた軸受孔６ａに挿入されて軸受けされている。また揺動板２１の中間部には斜め上向きの押上げカム２１ｂが形成され、下端部には押ボタン２１ｃが前向きに突設されている。揺動板２１は、下部側の押ボタン２１ｃなどが前方へ突出した形状のため、重心位置が軸部２１ａより前方にあり、自由状態では軸部２１ａの真下に重心が来るため、図３に示すように下端側が後方へ付勢され、押ボタン２１ｃは後退した位置に来る。
【００１７】
しかし、図２に示す押圧前の状態では、押上げカム部２１ｂは前面がシャッタ板１８のカム従動部２０に当接し、該押上げカム部２１ｂの後面には、プッシュプッシュ機構１０のヘッド１２ａが戻しばね１２ｅの弾発力で押圧され、押上げカム２１ｂからカム従動部２０に圧力を加えてシャッタ板１８を上方に押上げている。この状態でシャッタ板１８の上部１８ａは、上部窓１５を閉じ、表示部１９は表示窓１７の上方位置に移り、下端部１８ｂは下部窓１６の上方にある。
【００１８】
したがって、使用前であることが、表示窓１７から視認できると共に上部窓１５を閉じるシャッタ板の上部１８ａからも視認できる。また、上部窓１５が閉じられることにより、該窓１５から異物が入らず、絞りレバー１４が操作されるのを防止することができる。
【００１９】
次にこんろ使用のため押ボタン２１ｃを手で押すと、プッシュプッシュ機構１０のヘッド１２ａは位置ロまで動いて開閉弁７を開放し、点火機構を作動する。これと同時に突部１２ｃで受面１３ｄを押して縦レバー１３を矢印Ａ方向に回動し、ピン８ｃを矢印Ｂ方向に上昇させて全開状態にし、バーナ２ａ又は３ａで燃焼させる。
【００２０】
次に押ボタン２１ｃから手を離すと、ヘッド１２ａは位置ハまで戻り、揺動板２１は、重心が移動して図３の位置に回動し、ヘッド１２ａに支持されるが、押上げカム２１ｂがカム従動部２０から離れるため、シャッタ板１８はその重量で落下し図３の状態になる。この状態で上部窓１５が開き、表示窓１７に表示部１９が現れて使用中であることが表示され、下部窓１６の上縁と押ボタン２１ｃの上面の間に形成される隙間が、シャッタ板１８の下端部１８ｂで閉じられる。これにより、上部窓１５の内側の絞りレバー１４の操作が可能になり、また押ボタン２１ｃを再押しする際に、前記隙間に指頭を誤って滑り込ませて挟まれるのが防止できる。
【００２１】
そして再押し及び押圧解除によりプッシュプッシュ機構１０は元の状態に戻り、揺動板２１、シャッタ板１８もヘッド１２ａに押されて図２の状態に戻る。
【００２２】
図６は、シャッタ板１８を昇降させるための運動伝達機構として、前記のカム機構に代えてＬ字形の回転レバー２５を用いたものであり、該回転レバー２５の支軸２５ａは前面パネル６のリブに支持され、作動アーム２５ｂの先端の頭部は、シャッタ板１８に設けた突部２６の下面を受けており、受動アーム２５ｃの端部は、揺動板２１に設けた作動部２７に当接している。なお、突部２６には、作動アーム２５ｂの中間部と干渉しないように溝が設けられている。
【００２３】
この形態において、こんろの不使用時には、図６ａに示すように、揺動板２１はヘッド１２ａに押されて前進位置にあり、回転レバー２５の受動アーム２５ｃは、揺動板２１の作動部２７に押されて前進し、作動アーム２５ｂが上方に回動して突部２６を押上げ、シャッタ板１８を押上げている。点火のため押ボタン２１ｃを押したのち力を解除すると、ヘッド１２ａが図４のハ位置に戻り、揺動板２１は図６ｂの位置になり、作動アーム２５ｂは下がってシャッタ板１８も下がり、上部窓１５を開け、下部窓１６を閉じる。
【００２４】
図７に示す形態は、上部窓１５に対するシャッタ部材として弾性フィルムよりなるシャッタフィルム２８を用いたものであり、構成が簡単になる。該シャッタフィルム２８は、弾力性があり低摩擦のフィルムが使用され、その下端が固定手段２８ａで揺動板２１に固定され、上部と中間部はガイド６ｂ，６ｃにより案内され、中間部は弾性により湾曲している。図７ａの上部窓１５を閉じた状態から揺動板２１が後退すると、シャッタフィルム２８は、上部窓１５より下に引下げられる。この形態では、シャッタ板１８を使用するものに比べて、表示窓１７を上方位置に設ける必要があり、また下部窓１６は開閉できない。
【００２５】
図８の形態は、絞りレバー１４のつまみ１４ｄを上部窓１５から突出させると共にシャッタ板１８又はシャッタフィルム２８の上方位置に上方に湾曲した逃げ凹部１４ｅを形成したものである。この手段によれば、こんろ不使用時にシャッタ板１８又はシャッタフィルム２８が絞りレバー１４に妨げられることなく仮想線で示すように上昇し、上部窓１５を閉じることができる。
【００２６】
【発明の効果】
請求項１の手段によれば、こんろの不使用時には、絞りレバー前面の上部窓をシャッタフィルムで閉じるから、こんろが不使用であることが明示されると共に該上部窓から異物が侵入するのを防止できる効果がある。
【００２７】
請求項２の手段によれば、こんろの不使用時には、絞りレバー前面の上部窓をシャッタフィルムで閉じるから、こんろが不使用であることが明示されると共に該上部窓から異物が侵入するのを防止できる効果がある。
【００２８】
請求項３の手段によれば、絞りレバーを前面パネルから突出して操作性を向上させたが、絞りレバーにシャッタ板又はシャッタフィルムとの干渉を避ける逃げ凹部を設けたので、上部窓の開閉機能を損うことがなく、こんろの不使用状態の認識ができると共に異物の侵入が防止できる利点がある。
【００２９】
請求項４の手段によれば、前面パネルに表示窓を設けて開閉弁の開閉状態を視認できるようにしたから、該弁の操作状態を容易に把握できる利点がある。
【００３０】
請求項５の手段によれば、消火時に押ボタンを押すとき、下部窓の隙間に指が入るのを防止でき、使い勝手が良い。
【図面の簡単な説明】
【図１】  本発明を実施したガスこんろの斜視図
【図２】  実施の一形態の閉弁状態を示す縦断面図
【図３】  同じく開弁状態を示す縦断面図
【図４】  プッシュプッシュ機構の縦断面図
【図５】  図２の５−５線断面図
【図６】  実施の他の形態を示す縦断面図
【図７】  更に他の形態を示す縦断面図
【図８】  絞りレバーの変形例を示す縦断面図
【符号の説明】
５  ガス弁                      ６  前面パネル
７  開閉弁                      ８  絞り弁
８ｂ  カム                      ８ｃ  ピン
１０  プッシュプッシュ機構    １２ａ  ヘッド
１３  縦レバー                  １４  絞りレバー
１４ａ  逃げ凹部                  １５  上部窓
１６  下部窓                    １７  表示窓
１８  シャッタ板                １９  表示部
２０  カム従動部                ２１  揺動板
２１ｂ  押上げカム                ２５  回転レバー
２８  シャッタフィルム
【図１】
0003751468.tif 000002
【図２】
0003751468.tif 000003
【図３】
0003751468.tif 000004
【図４】
0003751468.tif 000005
【図５】
0003751468.tif 000006
【図６】
0003751468.tif 000007
【図７】
0003751468.tif 000008
【図８】
0003751468.tif 000009